(57)【特許請求の範囲】
【請求項１】
外部に設けられた光ファイバの光軸と光学的に接続される使用波長がそれぞれ異なる一つの発光素子と、少なくとも一つの受光素子とを備え、
前記発光素子と前記受光素子のそれぞれが、実装基板表面上の同一方向に搭載された光素子搭載基板と、
前記発光素子の近傍に設けられた、あるいは前記発光素子と一体化されてモノリシック集積された第１のレンズと、
少なくとも一種類の波長選択フィルタと、前記波長選択フィルタに対して所定の間隔を保って対向して配置されたミラーとから構成される光合分波器と、
前記光素子搭載基板と前記光合分波器とを所望の位置に固定し収納するパッケージと、
前記光合分波器から出射した光を前記光ファイバに集光する第２のレンズと、を有し、
前記第２のレンズの直径を、前記第１のレンズの直径よりも大きくし、
前記光合分波器を、前記光ファイバの光軸に対して所定の角度を有するように前記パッケージに固定することにより、
前記光ファイバから出射された光が、前記第２のレンズにより前記受光素子のいずれか一つに集光され、
前記光ファイバ、あるいは前記発光素子から出射された光が、前記波長選択フィルタ面に非垂直な角度で入射され、前記非垂直な角度で入射した光が前記波長選択フィルタと前記ミラーとの間を多重反射していく過程で波長の異なる光を分離あるいは重畳し合分波され、
前記発光素子と前記第２のレンズとの間の距離が、前記光ファイバから出射した光が前記第２のレンズにより結像する焦点位置、すなわち前記第２のレンズの焦点距離よりも短くなるように、前記発光素子が設けられていることを特徴とする光送受信モジュール。
【請求項２】
前記光ファイバから放出された光を前記波長選択フィルタと前記ミラーとの間で少なくとも１回以上多重反射させることにより、前記光合分波器における該光の入射点と出射点との間隔を拡げて前記間隔の前記光素子搭載基板への投影距離を長くすることで、前記発光素子と前記受光素子との配列間隔を前記波長選択フィルタと前記ミラーとの間での単反射の場合よりも広く保持することを特徴とする請求項１に記載の光送受信モジュール。
【請求項３】
前記光合分波器が、使用波長に対して透明な材質からなる一対の平行面を持つ基板を有し、
前記一対の平行面の一方に、前記波長選択フィルタの少なくとも一種類が設けられ、
もう一方の平行面に、前記ミラーが設けられていることを特徴とする請求項１に記載の光送受信モジュール。
【請求項４】
前記光合分波器は、前記光ファイバから出射された光が、前記波長選択フィルタで反射され、前記ミラーで再度反射される過程において、前記ミラーの透過・反射特性が、前記波長選択フィルタの透過帯域の光を透過する特性を有することを特徴とする請求項１に記載の光送受信モジュール。
【請求項５】
前記ミラーが、前記光合分波器内の光路上で前記ミラーの手前に位置する波長選択フィルタと同一の波長選択フィルタであることを特徴とする請求項４に記載の光送受信モジュール。
【請求項６】
前記波長選択フィルタが、誘電体多層膜で構成されることを特徴とする請求項１に記載の光送受信モジュール。
【請求項７】
前記波長選択フィルタが、回折格子で構成されることを特徴とする請求項１に記載の光送受信モジュール。
【請求項８】
前記波長選択フィルタが設けられた基板の部材が、非晶質ガラス、サファイア結晶、結晶石英、シリコンのいずれかであることを特徴とする請求項１に記載の光送受信モジュール。
【請求項９】
前記パッケージが、メタルキャンパッケージであり、
内壁部分に凹凸形状が設けられたキャンキャップを用いることにより、前記波長選択フィルタが設けられた基板を所望の角度に固定することを特徴とする請求項１に記載の光送受信モジュール。
【請求項１０】
前記発光素子から出射される第１の波長の光を前記光ファイバに結合して送信し、
前記光ファイバから出射される第２の波長の光を前記受光素子に導き受信する二波長双方向光送受信機能を有することを特徴とする請求項１に記載の光送受信モジュール。
【請求項１１】
前記発光素子が、前記実装基板に対して垂直に光を出射するレーザーダイオードであることを特徴とする請求項１に記載の光送受信モジュール。
【請求項１２】
外部に設けられた光ファイバの光軸と光学的に接続される使用波長がそれぞれ異なる一つの発光素子と、少なくとも二つの受光素子とを備え、
前記発光素子と前記受光素子のそれぞれが、実装基板表面上の同一方向に搭載された光素子搭載基板と、
前記発光素子の近傍に設けられた、あるいは前記発光素子と一体化されてモノリシック集積された第１のレンズと、
少なくとも二種類の波長選択フィルタが、前記波長選択フィルタの表面が同一平面上に並ぶように配置された波長選択フィルタアレイと、前記波長選択フィルタアレイに対して所定の距離を保って対向して配置されたミラーあるいはミラーアレイとから構成される光合分波器と、
前記光素子搭載基板と前記光合分波器とを所望の位置に固定し収納するパッケージと、
前記光合分波器から出射した光を前記光ファイバに集光する第２のレンズと、を有し、
前記第２のレンズの直径を、前記第１のレンズの直径よりも大きくし、
前記光合分波器を、前記光ファイバの光軸に対して所定の角度を有するように前記パッケージに固定することにより、
前記光ファイバから出射された光が、前記第２のレンズにより前記受光素子のいずれか一つに集光され、
前記光ファイバ、あるいは前記発光素子から出射された光が、前記波長選択フィルタアレイ面に非垂直な角度で入射され、前記非垂直な角度で入射した光が、前記波長選択フィルタアレイと前記ミラーあるいはミラーアレイとの間を多重反射していく過程で波長の異なる光を分離あるいは重畳し合分波され、
前記発光素子と前記第２のレンズとの間の距離が、前記光ファイバから出射した光が前記第２のレンズにより結像する焦点位置、すなわち前記第２のレンズの焦点距離よりも短くなるように、前記発光素子が設けられていることを特徴とする光送受信モジュール。
【請求項１３】
前記光ファイバから放出された光を前記波長選択フィルタと前記ミラーとの間で少なくとも１回以上多重反射させることにより、前記光合分波器における該光の入射点と出射点との間隔を拡げて前記間隔の前記光素子搭載基板への投影距離を長くすることで、前記発光素子と前記受光素子との配列間隔を前記波長選択フィルタと前記ミラーとの間での単反射の場合よりも広く保持することを特徴とする請求項１２に記載の光送受信モジュール。
【請求項１４】
前記光合分波器が、使用波長に対して透明な材質からなる一対の平行面を持つ筐体を有し、
前記一対の平行面の一方に、前記波長選択フィルタアレイの少なくとも二種類が設けられ、
もう一方の平行面に、前記ミラーあるいはミラーアレイが設けられていることを特徴とする請求項１２に記載の光送受信モジュール。
【請求項１５】
前記光合分波部品は、前記光ファイバから出射された光が、前記波長選択フィルタアレイで反射され、前記ミラーで再度反射される過程において、前記ミラーの透過・反射特性が、前記波長選択フィルタの透過帯域の光を透過する特性を有することを特徴とする請求項１２に記載の光送受信モジュール。
【請求項１６】
前記ミラーが、前記光合分波器内の光路上で前記ミラーの手前に位置する波長選択フィルタアレイと同一の波長選択フィルタであることを特徴とする請求項１５に記載の光送受信モジュール。
【請求項１７】
前記発光素子が、前記実装基板に対して垂直に光を出射するレーザーダイオードであることを特徴とする請求項１２に記載の光送受信モジュール。
【請求項１８】
前記実装基板表面上の同一方向に実装された前記発光素子および少なくとも二つの前記受光素子は、それぞれの素子の使用波長が大きくなる順あるいは小さくなる順に配置されていることを特徴とする請求項１２に記載の光送受信モジュール。
【請求項１９】
前記合分波器のフィルタアレイを構成する各フィルタが、前記発光素子および前記受光素子のそれぞれの使用波長範囲内で所望の分離波長以上あるいは以下の波長の光のいずれかを透過し、それ以外の光を反射する特性を持つ、所謂エッジフィルタであって、
前記フィルタアレイ上のエッジフィルタの並び順が、分離波長の昇順あるいは降順に実装されていることを特徴とする請求項１２に記載の光送受信モジュール。
【請求項２０】
前記発光素子から出射される第１の波長の光を前記光ファイバに結合して送信し、
前記光ファイバから波長多重されて出射される光から第２の波長の光と第３の波長の光を波長分離し、それぞれに対応した前記受光素子に導き受信する三波長双方向光送受信機能を有することを特徴とする請求項１２に記載の光送受信モジュール。
【発明の詳細な説明】
【技術分野】
【０００１】
本発明は、光送受信モジュールに係り、特に、複数の波長の光を合波あるいは分波する双方向光送受信モジュールの構造に関する。
【背景技術】
【０００２】
近年情報通信分野において、光を用いて大容量のデータを高速でやりとりする通信トラフィックの整備が急速に行われつつある。中でも特にインターネットの爆発的な普及に伴うアクセス回線のブロードバンド化が加速しており、ＦＴＴＨ(Fiber To The Home)サービスの顕著な市場立ち上がりが見られる。ＦＴＴＨの光伝送方式の中で、現在需要が増えてきているのが、複数の加入者で１本の光ファイバを共有するＰＯＮ (passive optical network)方式である。同方式では収容局から１本の光ファイバで送信されてきたデータを、スプリッタで１６本から３２本の光ファイバへ分岐し、各加入者宅まで分配することで光ファイバ敷設コストを大幅に削減可能である。【０００３】
また、各加入者側には端末装置としてＯＮＵ（Optical Network Unit）が敷設され、収容局から加入者側への下り信号(波長1.5μm)と、加入者側から収容局への上り信号(波長1.3μm)を波長多重(WDM)することにより、上りと下りの信号を同一の光ファイバを用いて伝送している。さらに、ＯＮＵ内には２波長双方向光モジュールが載置されており、上り信号送信用の発光素子(LD: Laser Diode)、下り信号受信用の受光素子(PD: Photo Detect
or)、上り／下り信号を分離するWDMフィルタで基本的に構成されている。【０００４】
従来のモジュール方式を図9に示す。パッケージ１７８内に発光素子１７５、受光素子１７２、波長選択フィルタ１７７の各光部品を空間的に配置した一芯双方向（BIDI: Bi-Directional）モジュールの基本構成を示す。本方式では各光部品を独立に作製可能であるため、作製歩留まりを確保し易い。また、レンズ１７１、１７４を各々集積したCANパッケージ１７３、１７６に搭載された光素子１７５、１７２を動作させながら光ファイバ１７０と光軸調芯する、所謂アクティブアライメントで光接続可能であるため、安定した光結合効率が得られる利点がある。その反面、部品点数及び加工工数が多く、小型・低コスト化に不利な事が難点である。【０００５】
図１０に示すのは、非特許文献１（信学技報, vol. 107, no. 7, R2007-2, pp. 7-10）に開示された一芯双方向モジュールの第２の方式の基本構成を示したものである。発光素子１８２、受光素子１８６、波長選択フィルタ１８３をＣＡＮパッケージ１８７内に配置し、小型化を図ったという特徴がある。【０００６】
しかしながら、発光素子１８２、受光素子１８６、波長選択フィルタ１８３を立体的に配置する必要があるのは第一の例と同様で、小型化したゆえに高精度の実装が必要となり、調芯の工程も複雑なものとなっているという問題がある。さらに、拡張性を考慮した場合、例えば３波長双方向光モジュールとした場合は、光部品数及び実装面積を少なくとも約２倍する必要があり、小型・低コスト化がますます困難となる。【０００７】
【非特許文献１】信学技報, vol. 107, no. 7, R2007-2, pp. 7-10
【発明の開示】
【発明が解決しようとする課題】
【０００８】
上述したように、従来の技術では光素子の実装も含めると光部品の実装工程が多い。また、波長分波器の位置精度、特に角度ずれに対しては裕度が小さく、高精度な実装が要求されるとともに、歩留まりの確保が困難である。さらに、拡張性を考慮した場合、光部品数及び実装面積を約２倍にする必要があり、小型化と光部品の更なる高精度実装が要求されるため、歩留まりの確保がますます困難となる。【０００９】
したがって、本発明の目的は１本の光ファイバで複数の波長の光を伝送する、波長多重光伝送や１芯双方向光伝送の端末機として用いられる光モジュールに関して、低損失な光学特性及び高信頼性を保ちつつ、実装工程数を大幅削減し、小型化且つ高い歩留まりを実現可能な光モジュールを提供することにある。
【課題を解決するための手段】
【００１０】
本発明では上記課題を解決するために、一つの発光素子と、少なくとも一つの受光素子とが同一平面上に載置された光素子搭載基板と、典型的には透明基板の表裏面に波長選択フィルタ及びミラーを搭載した波長合分波器を用意し、これら二つの部品を、光素子実装面とフィルタ表面が互いに非平行な角度となるように、パッケージ内で実装する。光素子搭載基板上には互いに使用波長の異なる光素子が所望の位置に実装されている。光合分波器は、平行な一対の対向面を持つ光の波長に対して透明な材料で出来た所望の厚さの基板を支持基板とし、一対の平行な面の一方には少なくとも一種類の波長選択フィルタを、他の面には第一のフィルタで選択されなかった波長の光を反射するためのミラーを設ける。【００１１】
この際これらのフィルタ及びミラーには光が入出射する為の窓を設ける。発光素子の近傍あるいはモノリシック集積されて設けられた第一のレンズと、光合分波器から出射した光を光ファイバに集光する第二のレンズとから構成され、第二のレンズの直径は第一のレンズの直径よりも大きいことを特徴としている。【００１２】
本発明のモジュールの作用を、図２を参酌して説明する。図２は本発明を光トリプレクサーと呼ばれるモジュールに応用した場合の機能を模式的に示した図である。発光素子１１から出射された波長λ１の光がモジュール外部に設けられた光ファイバ（図示せず）に接続されるとともに、光ファイバから出射された波長λ２、λ３の光が、それぞれ所定の光受光素子１２、１３に入射される機能を持つ。波長合分波器２が光ファイバからの入射光および発光素子１１の光軸と、垂直でない角度で実装されていることにより、波長選択フィルタアレイ及びミラーアレイに光が斜めに入射し、各フィルタと光軸の交点で特定の波長の光が除去あるいは付加される。【００１３】
図２に示されるように、各波長の光軸はガラス基板の厚さｄと角度θ1によって決定され、水平面の直線上に並ぶ。従って設計によって一意的に定まるこの光軸に各素子を配置すれば、光ファイバと光素子の結合を取ることができる。発光素子１１から出射された波長λ１の光は、発光素子１１の近傍あるいはモノリシック集積されて設けられたレンズ１００１により、拡散を抑えられた光ビームとなり、波長合分波器２を透過後、レンズ４によってフォーカスされて、光ファイバ（図示せず）に入射される。この時、レンズ４の直径はレンズ１００１の直径よりも大きくする。また、光ファイバ（図示せず）から出射した光はレンズ４により受光素子１２、あるいは受光素子１３の一つに集光される。この時、図２に示されるようにレンズ４から発光素子１１レンズ１００１までの距離は、レンズ４から受光素子１２あるいは１３までの距離より短くなる。即ち、本発明の光学系はレンズ４から発光素子１１およびレンズ１００１までの距離が光ファイバから出射する光がレンズ４により集光される点からレンズ４までの距離より短いことを特徴とする。
【００１４】
このように本発明の第一の特徴はガラス基板を一度アラインメントするだけで複数のフィルタが自動的にアラインメントされるので実装の工程が大幅に削減される。また第二の特徴は、光素子搭載基板上にLD、ＰＤを平面的に実装するので、立体的に実装する場合と比較して実装が大幅に簡略化され高精度実装が可能となる。調芯の際には、光素子搭載基板ごとアラインメントするので、各素子個別に調芯する場合に比べて工程数が削減できる。【００１５】
基板の角度がθ1の場合、基板表面の垂直方向に対する光ファイバあるいは光素子１１からの光の入射の角度（入射角）はθ1であり、屈折後の基板物質内での角度θ2は、スネルの法則から、外部の屈折率n1、基板の屈折率n2を用い、θ2＝sin−1(n1・sinθ1/n2)である。【００１６】
このとき、基板内部での多重反射の周期yは、透明基板の厚さをdとすると、2dtanθ2で与えられる。また、この多重反射する光が、前述したような原理でフィルタにより波長分離されて入射時の光軸と垂直な平面へと出射する場合、その周期zは2dtanθ2・cosθ1与えられる。周期zは素子搭載基板上に搭載される素子の間隔に対応するので、適切な素子間隔を保てるようd,θ1を選択する必要がある。素子のサイズは100μmを下回ることはないのでzの値は100μm以上である必要がある。さらに第三の特徴は、レンズ４の直径をレンズ１００１の直径よりも大きくすることで、発光素子１の位置ずれトレランスを大幅に拡大することができる。
【発明の効果】
【００１７】
本発明の実施例によれば、複数の波長の光を合波して送信する光送信モジュール、あるいは合波された光を波長ごとに分波して受信する光受信モジュール、あるいは一芯双方向光送受信モジュールに関して、低損失な光学特性及び高信頼性を保ちつつ、光部品数、実装工程数を大幅削減し、小型化且つ高い歩留まりを実現可能な光モジュールおよびその製造方法を提供できる。
【発明を実施するための最良の形態】
【００１８】
以下に、図面を用いて詳細に実施例を説明する。【００１９】
（実施例１）
図１は、本発明の第一の実施例である光モジュールの断面図である。図１は本発明を、三波長を用いた双方向光送受信モジュールのいわゆる光トリプレクサーと呼ばれるモジュールに応用した例である。【００２０】
図１は、ＣＡＮパッケージに実装した例で、発光素子１１と受光素子１２，１３をサブマウント１０上に搭載した光素子搭載基板１がＣＡＮステム１４上に実装され、光合分波器２はＣＡＮキャップ３に実装されている。レンズ１００１は、発光素子１の近傍あるいはモノリシック集積されることにより設けられる。発光素子１１、及び受光素子１２、１３の使用波長はそれぞれλ１、λ２、λ３であり、波長の長短関係はλ１＜λ２＜λ３である。発光素子及び受光素子は、図１上で使用波長の短い方から長い方に並べた。ただし、図１上で使用波長の長い方から短い方に並べることも可能である。【００２１】
ＣＡＮキャップ３内部には光合分波器の実装を可能とするための凹凸が設けられている。光合分波器２は透明ガラス基板５を支持基板とし、一方の面に第一の波長選択フィルタ６と第二の波長選択フィルタ７を隣接して実装され、この面と平行な対向する面に第一のミラー８と第二のミラー９が実装されている。なお、透明ガラス基板としては、非晶質ガラス、サファイア結晶、結晶石英、シリコンを用いることができる。【００２２】
光合分波器の実装は、CANキャップの凹凸への外形合わせで行い、ＵＶ硬化樹脂で接着した。ガラス基板の材質はＢＫ７で厚みは1136μmとした。ガラス基板は平面に対する角度が20°となるように実装されており、図２中のz、即ち多重反射のピッチの平面上への射影は500μmである。波長選択フィルタは、誘電体多層膜又は回折格子で構成されている。なお、本実施例では、波長選択フィルタはTa2O5とSiO2からなる誘電体多層膜を用いた。【００２３】
第一の波長選択フィルタ６は、λ１＜λth＜λ２の分離波長λthを持ち、このλthより短波長の光を透過し、長波長の光を反射する性質をもつフィルタ（いわゆるショートパスフィルタ）とした。第二のフィルタ７は、分離波長がλ２＜λth＜λ３のショートパスフィルタとした。また、第一の波長選択フィルタ６が、λ２＜λth＜λ３の分離波長λthを持ち、このλthより長波長の光を透過し、短波長の光を反射する性質をもつフィルタとし、第二のフィルタ７を、分離波長がλ１＜λth＜λ２のショートパスフィルタとする構成も可能である。【００２４】
第一のミラー８は第一の波長選択フィルタ６と同じものを用い、第二のミラー９には第二の波長選択フィルタ７と同じものを用いた。光素子集積化基板上の光発光素子１１にはマイクロレンズを集積した垂直出射型ＬＤを用いた。発光素子１１には端面出射型ＬＤを用いることも可能であるが、実装上の簡便さから垂直出射型が望ましく、光結合の容易さや部品点数削減の観点からレンズ集積型が望ましい。同様の理由で受光素子１２、１３も面入射型が望ましい。アンプやコンデンサもＣＡＮ内に実装されるが、それらは通常の場合と同様なので図示していない。【００２５】
透明基板５の材質は使用する波長に対して透明であれば良く限定されるものではないが、安価で加工精度の良いものが望ましい。この条件を満たすものとして本例ではＢＫ７を用いたが、他のガラス材料、誘電体、半導体を用いてももちろんよい。【００２６】
本構成例の動作を説明する。発光素子１１から出射された波長λ１の光は、第一の波長選択フィルタ6に到達する。第一の波長選択フィルタ６はλ１の波長を透過し、透明基板で屈折し光路を平行移動し、パッケージレンズ４を介して外部の光ファイバと光接続される。一方光ファイバから出射された波長λ２、λ３が合波した光は、透明ガラス基板に入射し、屈折を受けた後、第一の波長選択フィルタ６に到達する。波長λ２、λ３は反射されて、対向する第一のミラー８に到達する。第一のミラー８は第一の波長選択フィルタ６と同じものなので、波長λ２、λ３は再度反射される。ここで、ミラー８にフィルタ６と同じものを用いたのは波長λ１に対する阻止能を向上させる為である。発光素子１１から出射された波長λ１の光は、レンズ４の表面や光ファイバ端面その他の場所でわずかに反射され、戻り光となって再び入射する。この波長λ１の戻り光はわずかな光量であっても、受光素子１２、１３に入射するとノイズになる。λ１の戻り光はフィルタ６で透過するが、わずかな量が反射される。そこでミラー８でもう一度透過させ、更に光量を減らしている。【００２７】
以上のような理由で本実施形態では、ミラー８にフィルタ６と同じものを用いているが、波長分離の仕様が厳しくない場合は、通常の波長依存性のないミラーを用いて十分である。
ミラー８で反射された光は再びフィルタ面へと入射する。最も素朴な設計では、ミラー８で一回反射された光は第二のフィルタに入射する構成となるが、本構成ではミラー８からの反射光は再びフィルタ６上へと入射し、フィルタ６とミラー８の間をもう一往復させる設計としている。これは、発光素子１１と受光素子１２の間隔を多重反射のピッチの射影より大きくするためである。高速で駆動する発光素子は、受光素子側に対するノイズ源（これを電気的クロストークと呼ぶ）となる恐れがあるためである。電気的クロストークその他特段の理由がない場合は、ガラス基板内の多重反射のピッチと素子の実装ピッチを一致させて反射回数を最小にする構成が望ましい。【００２８】
フィルタ６とミラー８の間を二往復した光は、第二の波長選択フィルタ７に入射する。ここで波長λ２と波長λ３が分離され、波長λ２フィルタを透過し屈折を受けて、光受光素子１２に垂直に入射する。一方、波長λ３は反射されてミラー９へと入射する。ミラー９には、ミラー８の場合と同様の理由で、フィルタ７と同じ誘電体多層フィルタを用いる。ミラー９で反射された光はフィルタのない界面（但しARコート有）を透過し、受光素子１３に入射する。このとき、光ファイバ（図示せず）出射した光はレンズ４により受光素子１２、あるいは受光素子１３の一つに集光される。レンズ４の直径はレンズ１００１の直径よりも大きくすることで、発光素子１の位置ずれトレランスを拡大することができる。【００２９】
光学シミュレーションにより、発光素子の位置ずれと、光ファイバとの結合効率を計算した結果を図８に示す。図８（Ａ）には、図９に示した従来モジュール方式の場合の結果を示している。ここで、レンズ１７１とレンズ１７４の直径は同じとしている。図８（Ｂ）に、本発明によるモジュール方式の場合の結果を示した。例えば、ファイバとの結合損失を−2dBまで許容すると、従来モジュールでは発光素子の位置ずれトレランスは1.1μｍほどしかないが、本発明によるモジュールでは、およそ11μｍまで位置ずれトレランスを拡大できていることがわかる。【００３０】
（実施例２）
図３は、本発明の第二の実施例の光モジュールの断面図である。本実施形態は、本発明を２波長一芯双方向（BIDI: Bi-Directional）モジュールに応用した構成例である。基本的な構成、機能は第一の実施例と同様であるが、受光素子は３０の一つのみで、使う波長数は二つなので、波長分離フィルタとミラーは２６と２７の各一つずつとなっている。【００３１】
（実施例３）
図４は、本発明の第三の実施例の光モジュールの断面図である。本実施形態は、本発明の第一の実施例に示す光学系を搭載したCANパッケージ９２をシングルモードファイバ９３に接合する場合のモジュール構成を示した図である。【００３２】
（実施例４）
図５、図６は、本発明の第四の実施形態の光モジュールを示す図である。本実施形態に於いては、平面型パッケージ１１０に、発光素子および受光素子が実装されたCANパッケージ１０１、光号分波器１０２、レンズ１０３、シングルモードファイバ１０４が実装されている。CANパッケージの構成は図６に示すように、発光素子１１３、受光素子１１４，１１５が搭載された光素子搭載基板１１２が実装されている。CANパッケージ１０１は図６の形態に限らず、LD及びPDの他の組合わせを実装したCANパッケージでも可能である。【００３３】
（実施例５）
図７は、本発明の第五の実施形態の光モジュールを示す図である。本実施形態に於いては、平面型パッケージ１３７に、発光素子１１、光受光素子１２８、１２９をサブマウント１２６上に実装した光素子搭載基板１２１と、波長選択フィルタ１３１、１３２、１３３およびミラー１３５、１３６を備えた光号分波器１２２、レンズ１２３、シングルモードファイバ１２５が実装されている。図７に示されるように本実施形態では、光受光素子を表面実装した光素子搭載基板１２６を、平面型パッケージの底面から垂直に屹立する形態で実装する。図７に示した形態では３波長対応になっているが、更に波長数を増やしても比較的容易に対応できるのが本実装形態の特徴である。【００３４】
(実施例６)
図１１は本発明の第六の実施の形態を示す図である。図１１は本発明をPON(Passive Optical Network)用三波長双方向光送受信モジュールに応用した例である。本実施形態に於いては、発光素子１９１と受光素子１９２、１９３をサブマウント１００７上に搭載した光素子搭載基板１０００がCANステム１９４上に実装され、波長選択フィルタ１９６、１９７、およびミラー１９８、１９９を備えた光合分波器１００２およびパッケージレンズ１００４がCANキャップ１００３に実装されている。また、シングルモード光ファイバ１００６がCANキャップ上部に実装されたファイバホルダ１００５により接続されている。CANキャップ１００３内部には光合分波器の実装を可能にするための凹凸が設けられており、またパッケージレンズ１００４を実装するためのホルダ部が設けられている。光合分波器１００２は透明ガラス基板１９５を支持基板とし、一方の面に第１の波長選択フィルタ１９６と第２の波長選択フィルタ１９７が隣接して実装され、この面と平行な対向する面に第１のミラー１９８と第２のミラー１９９が実装されている。第１の波長選択フィルタ１９６には波長１３１０nmに対する透過率が９６％、波長１４９０nmに対する反射率が９９％以上、波長１５５５nmに対する反射率が99%以上のものを用い、第２の波長選択フィルタ１９７には波長１３１０nmに対する透過率が４０％、波長１４９０nmに対する透過率が９９％以上、波長１５５５nmに対する反射率が９９％以上のものを用いた。本実施例では、ミラー１９８は波長選択フィルタ１９６と同じものを用い、ミラー１９９には波長選択フィルタ１９７と同じものを用いた。【００３５】
ガラス基板の材質は屈折率１．５の透明ガラスを用い、厚みは６９７μｍとした。ガラス基板は平面に対する角度が３０°となるように実装されている。パッケージレンズは焦点距離が１．９８mm、合分波器側の光強度が1/e2でのNAが０．０４、ファイバ側の光強度が1/e2でのNAが０．０９であるものを用いた。光集積基板上の発光素子１９１はInP基板上に作製した発振波長が1.3μm帯であり、レンズ1008をモノリシック集積した垂直出射型LDを用い、レンズ1008はLDからのレーザ光の放射角度が４°となるものを用いた。
【産業上の利用可能性】
【００３６】
１本の光ファイバで複数の波長の光を伝送する、波長多重光伝送や１芯双方向光伝送の端末機として用いられる光モジュールに関して、低損失な光学特性及び高信頼性を保ちつつ、ウェハプロセス等の一括作製によって光部品数、実装工程数を大幅削減し、小型化且つ高い歩留まりを実現可能な光モジュールおよびその製造方法を提供できる。
【図面の簡単な説明】
【００３７】
【図１】(A）は、本発明の第一の実施例である三波長双方向光送受信モジュールの断面図であり、（B）は（A）に搭載される集積型レンズの断面図であり、（C）は（A）に搭載される設置型レンズの断面図である。
【図２】本発明の第一の実施例の光モジュールの作用を説明した図である。
【図３】本発明の第二の実施例であるニ波長双方向光送受信モジュールの断面図である。
【図４】本発明の第三の実施例の光モジュールの断面図であり、第一から第二の実施例の光モジュールをシングルモードファイバと結合する場合のパッケージの構造例を示した図である。
【図５】本発明の第四の実施例の光モジュールの断面図である。
【図６】本発明の第四の実施例である光モジュールを構成する光素子パッケージの断面図である。
【図７】本発明の第五の実施例の光モジュールの断面図である。
【図８】（Ａ）は、従来モジュールによる光ファイバとの結合損失を示した図であり、（Ｂ）は、本発明の光モジュールによる光ファイバとの結合損失を示した図である。
【図９】従来モジュールのワンパッケージBIDIモジュールの基本構成図である。
【図１０】従来技術の光合分波器の基本構成である。
【図１１】本発明の第六の実施例のPON(Passive Optical Network)用三波長双方向光送受信モジュールの断面図である。
【符号の説明】
【００３８】
１,２１,１２１,１０００…光素子搭載基板、
２,２２,１０２,１２２,１００２…波長合分波器、
３,２３,１００３…CANキャップ、
４,２４,１０３,１１１,１２３,１７１,１７４、１８１、１００１,１００４,１００８…レンズ、
１２４…レンズホルダ、
５,２５,１０５,１８４,１９５…ガラス基板、
１８５…フィルタホルダ、６,７,２６,１０６,１０７,１３１,１３２,１３３,１７７,１８３,１９６,１９７…波長選択フィルタ、
８,９,２７,１０８,１０９,１３５,１３６,１９８,１９９…ミラー、
１０,２８,１１２,１２６,１００７…サブマウント、
１１,２９, １１３, １７５,１８２,１９１…発光素子、
１２,１３,３０,１１４,１１５,１２８,１２９,１７２,１８６,１９２,１９３…受光素子、
１４,３１,１９４…CANステム、
９１,１１０,１３７,１７８…パッケージ、
９２,１７３,１７６,１８７…CANパッケージ、
９３,１０４,１２５,１７０,１８０,１００６…シングルモードファイバ、１０１,１４１,１４２…光受信CANモジュール
１００５…ファイバホルダ。
【図１】
0005439191.tif 000002
【図２】
0005439191.tif 000003
【図３】
0005439191.tif 000004
【図４】
0005439191.tif 000005
【図５】
0005439191.tif 000006
【図６】
0005439191.tif 000007
【図７】
0005439191.tif 000008
【図８】
0005439191.tif 000009
【図９】
0005439191.tif 000010
【図１０】
0005439191.tif 000011
【図１１】
0005439191.tif 000012